(57)【特許請求の範囲】
【請求項１】
雪を堆積する雪堆積場と、
前記雪堆積場で発生する融雪水を貯留する貯水槽と、
前記雪堆積場の下部に形成される貯蔵庫と、
前記貯蔵庫を冷却する冷却装置とを備え、
前記冷却装置は、前記貯水槽に貯留された融雪水を利用する水冷式の熱交換器と、外気を利用する空冷式の熱交換器とを備え、
前記水冷式の熱交換器と前記空冷式の熱交換器とは切替運転が可能であることを特徴とする雪氷エネルギー利用システム。
【請求項２】
前記貯蔵庫と前記冷却装置とはダクトで連結され、
該ダクトは分岐点を有し、該分岐点で分岐した前記ダクトの一方は前記水冷式の熱交換器に連結され、分岐した前記ダクトの他方は前記空冷式の熱交換器に連結されることを特徴とする請求項１に記載の雪氷エネルギー利用システム
【請求項３】
前記分岐したダクトのうち前記水冷式の熱交換器と連結する前記ダクト及び前記空冷式の熱交換器と連結する前記ダクトは、それぞれ切替弁を有することを特徴とする請求項２に記載の雪氷エネルギー利用システム。
【請求項４】
前記貯水槽と前記水冷式の熱交換器とは送水管及び戻り管で連結されていることを特徴とする請求項１〜３のいずれか一項に記載の雪氷エネルギー利用システム。
【請求項５】
前記送水管の途中には、取水ポンプが配設されている請求項４に記載の雪氷エネルギー利用システム。
【発明の詳細な説明】
【技術分野】
【０００１】
この発明は、雪堆積場を利用した雪氷エネルギー利用システムに関する。
【背景技術】
【０００２】
広い領域にわたって芝が張られているゴルフ場等においては、散水のために多量の水が必要となり、通常、散水用の貯水池を設けて水を貯留している。例えば、特許文献１には、貯水池の水を浄化した上でゴルフ場のグリーンに散水する技術が提案されている。
【０００３】
【特許文献１】特開平５−３１７８８７号公報
【発明の開示】
【発明が解決しようとする課題】
【０００４】
この貯水池には、例えば揚水ポンプによって汲み上げられた井戸水が貯留されるが、夏の渇水期になると、井戸水が不足して芝が枯れるといった事態を引き起こしているのが現状である。また、揚水ポンプの稼働のために多量の電力を消費し、多額の電力料を支払わなければならなかった。
【０００５】
この発明は、このような問題点を解消するためになされたもので、雪が堆積する雪堆積場と、この雪堆積場で発生した融雪水を有効に利用することができる雪氷エネルギー利用システムを提供することを目的とする。
【課題を解決するための手段】
【０００６】
この発明に係る雪氷エネルギー利用システムは、雪を堆積する雪堆積場と、雪堆積場で発生する融雪水を貯留する貯水槽と、貯蔵庫を冷却する冷却装置とを備え、冷却装置は、貯水槽に貯留された融雪水を利用する水冷式の熱交換器と、外気を利用する空冷式の熱交換器とを備え、水冷式の熱交換器と空冷式の熱交換器とは切替運転が可能であることを特徴とするものである。
【０００７】
なお、貯蔵庫と冷却装置とはダクトで連結され、ダクトは分岐点を有し、分岐点で分岐したダクトの一方は水冷式の熱交換器に連結され、分岐したダクトの他方は空冷式の熱交換器に連結されることもできる。
また、分岐したダクトのうち水冷式の熱交換器と連結するダクト及び空冷式の熱交換器と連結するダクトは、それぞれ切替弁を有するように構成してもよい。
さらに、貯水槽と水冷式の熱交換器とを送水管及び戻り管で連結されてもよい。なお、送水管の途中に取水ポンプを配設することもできる。
【発明の効果】
【００１１】
この発明によれば、雪堆積場の下部に形成した貯蔵庫に冷却装置を接続することにより貯蔵庫を冷凍庫として使用することができると共に、貯水槽に貯留された融雪水を利用する水冷式の熱交換器と、外気を利用する空冷式の熱交換器とを切替運転可能とすることにより、例えば春季から秋季にかけては融雪水槽内の融雪水を利用して水冷式の熱交換器を作動させ、外気が低温となる冬季には空冷式の熱交換器を作動させるというように、水冷式の熱交換器と空冷式の熱交換器とを季節に応じて使い分けることができ、周年にわたって効率よく貯蔵庫を冷凍庫として使用することが可能となる。
【発明を実施するための最良の形態】
【００１２】
以下、この発明の実施の形態を添付図面に基づいて説明する。
実施の形態１
図１に実施の形態１に係る雪氷エネルギー利用システムの構成を示す。所定の敷地に雪堆積場１が区画形成されている。この雪堆積場１は、雪をトラック２等により搬送して堆積するための施設である。雪堆積場１には、断熱構造や屋根、覆いは備えられていないが、堆積された雪が融解する際に発生する融雪水を集めて排水する排水管が底部に形成されると共に融雪水を貯留する融雪水槽３が形成されている。
【００１３】
雪堆積場１よりも低所、詳しくは融雪水槽３より低所に上槽４が形成され、さらに上槽４より低所に下槽５が形成されている。雪堆積場１の融雪水槽３と上槽４とは融雪水槽３から上槽４に向かって所定の傾斜角で下るように配設された連通管６で互いに接続され、上槽４の上部と下槽５の上部とは上槽４から下槽５に向かって所定の傾斜角で下るように配設されたオーバーフロー管７で互いに接続されている。
下槽５には送水管８を介して散水器９及び１０が接続され、送水管８に送水ポンプ１１が連結されている。散水器９及び１０は、それぞれゴルフ場のグリーン等の被散水領域１２及び１３の近傍に配置されている。
【００１４】
次に、この実施の形態１の作用について説明する。
まず、トラック２等により雪が雪堆積場１に搬送され、堆積される。雪堆積場１には、屋根も覆いもないので、雪を次々と堆積し、例えばピラミッド形状等の外観を有するような雪山を形成する。トラック２等により搬送される雪としては、除雪あるいは排雪された雪を利用することができる。
【００１５】
雪堆積場１に堆積された雪は、断熱構造内に収容されたり、屋根や覆いで覆われることもないので、気温の上昇や日光に晒されることにより徐々に融解を始め、融雪水を発生する。この融雪水は、雪堆積場１の底部に形成された配水管を通り、融雪水槽３に集められる。融雪水槽３には、所定の傾斜角で下る連通管６を介して上槽４が接続されているため、融雪水槽３に集められた融雪水は、連通管６を通って上槽４へと流される。
【００１６】
このようにして、雪堆積場１で発生した融雪水が自動的に上槽４に流れ込み、貯留される。融雪水の流入にしたがって上槽４の融雪水の水位が次第に上昇し、上槽４のオーバーフロー管７の開口部にまで達すると、融雪水は下槽５に向かって所定の傾斜角で下るように配設されたオーバーフロー管７を通って下槽５へ流れ込む。したがって、上槽４が融雪水により溢れることが防止される。
以上のようにして、融雪水が上槽４を介して下槽５に貯留される。そして、ゴルフ場のグリーン等の被散水領域１２及び１３への散水が必要になると、送水ポンプ１１が駆動され、下槽５から送水管８を介して散水器９及び１０へと融雪水が送出され、散水が行われる。
【００１７】
例えば、雪堆積場１の面積を１５，０００ｍ２とし、底辺９０ｍ、高さ２５ｍのピラミッド型階段形状の雪山を形成すると、５０，０００トン程度の雪を堆積することができる。雪堆積場１の設置場所の環境に応じて変化するが、堆積された雪が渇水期の８月初めまで８，０００トン程度残留すれば、井戸水の汲み上げを必要とすることなく、ゴルフ場のグリーンへの散水を行うことが可能となる。
上槽４としては、例えば容量１，８００トンの貯水池を使用し、下槽５としては、例えば容量４，３００トンの貯水池を使用することができる。
また、散水器９及び１０としては、汎用のスプリンクラーの使用が可能である。
【００１８】
なお、上記の実施の形態１では、融雪水を貯留する貯水槽として、上槽４と下槽５の二つの槽を用いたが、これに限るものではなく、単一の貯水槽でもよいし、あるいは三つ以上の槽を用いてもよい。
また、上述した雪堆積場１の規模、上槽４及び下槽５の容量は単に一つの例を挙げたに過ぎず、この発明はこれらの値に限定されるものではない。
【００１９】
また、雪堆積場１より低所に上槽４を配置して融雪水槽３に集められた融雪水を連通管６を介して上槽４へ流下させたが、雪堆積場１より低所に上槽４を配置できない場合には、ポンプ等を用いて融雪水槽３から上槽４へ融雪水を送出することもできる。同様に、下槽５を上槽４より低所に配置できない場合にも、ポンプ等を用いて上槽４の融雪水を下槽５に送出することができる。ただし、無駄なエネルギーを消費しないためにも、上槽４は雪堆積場１より低所に、下槽５は上槽４より低所にそれぞれ配置することが好ましい。
【００２０】
実施の形態２
図２に実施の形態２に係る雪氷エネルギー利用システムの構成を示す。実施の形態２は、図１に示した実施の形態１の雪氷エネルギー利用システムにおいて、さらにビニールハウス１４を設けると共にビニールハウス１４に融雪水を供給して冷房を行うための冷房装置１５を設置し、雪堆積場１の融雪水槽３と冷房装置１５を送水管１６で接続すると共に冷房装置１５と上槽４を送水管１７で接続したものである。
融雪水槽３に集められた融雪水は、２〜４℃という低温状態にあるため、この冷水をビニールハウス１４内の冷水管に循環させることにより、冷房を行うことが可能である。
【００２１】
夏季にビニールハウス１４で冷房が必要になると、冷房装置１５が駆動され、雪堆積場１の融雪水槽３に集められた融雪水の一部が送水管１６を介して冷房装置１５へ送られ、冷房装置１５からビニールハウス１４内へと送出される。融雪水は、ビニールハウス１４内の冷水管を循環することにより、ビニールハウス１４内を冷房した後、冷房装置１５に戻り、送水管１７を介して上槽４に放流される。
【００２２】
冷房に利用された融雪水は、冷房装置１５から上槽４に送られ、実施の形態１と同様にして散水のために供される。
なお、ビニールハウス１４内では、野菜、花卉等の栽培が行われる。また、冷房装置１５によってビニールハウス以外の施設の冷房を行うように構成することも可能である。
【００２３】
実施の形態３
図３に実施の形態３に係る雪氷エネルギー利用システムの構成を示す。実施の形態３は、図２に示した実施の形態２の雪氷エネルギー利用システムにおいて、雪堆積場１の下部に貯蔵庫１８を形成し、この貯蔵庫１８内で雪氷ブロックＢを低温貯蔵するようにしたものである。
【００２４】
雪氷ブロックＢは、雪氷を固めて製造したブロックであり、例えば図４に示されるように、ほぼ直方体形状を有している。雪氷ブロックＢの上面の中央部には上方に向かって凸状に突出した上ガイド部２１が形成され、下面の中央部には上ガイド部２１に対応した形状で且つ下方に向かって凹状に窪んだ下ガイド部２２が形成されている。また、下面の下ガイド部２２の両側部には、フォークリフトのフォークを差し込むための凹部２３がそれぞれ形成されている。
【００２５】
凹状の下ガイド部２２は、凸状の上ガイド部２１がちょうど嵌合されるような大きさに形成されており、このため、図５に示されるように、雪氷ブロックＢを複数段に積み上げると、下側の雪氷ブロックＢの上ガイド部２１の上に上側の雪氷ブロックＢの下ガイド部２２が重なって嵌合することとなる。これにより、滑りやすい雪氷から形成されたブロックＢを堅固に重ね合わせることができ、例えば図６に示されるように、多数の雪氷ブロックＢを配列及び積み上げて貯蔵庫１８内に貯蔵することが可能となる。
貯蔵庫１８内では、雪堆積場１に堆積された雪の冷熱により雪氷ブロックＢが低温貯蔵される。
【００２６】
図５に示されるように、複数の雪氷ブロックＢを積み重ねた状態でも、各雪氷ブロックＢの凹部２３が露出するため、フォークリフトのフォークをこの凹部２３に差し込むことにより、各雪氷ブロックＢを容易に搬入、搬出することができる。
【００２７】
雪氷ブロックＢは、例えば、密度０．７〜０．８で重量１〜３トン程度に形成され、冷房の冷熱源として一般家庭、公共施設、卸売市場等で利用される。雪氷ブロックＢを利用することにより、大型の雪氷庫を備えなくても、雪氷を用いた冷房が可能となる。必要に応じて貯蔵庫１８内から搬出され、トラック２等により搬送すればよい。
【００２８】
次に、雪氷ブロックＢの製造方法について説明する。まず、木製あるいは金属製の型枠を製作し、ベース枠の上に載置された型枠内に雪と水を混合して投入する。このとき、雪と水は容積比で１：１〜１：２の割合で投入することが好ましい。また、ミキサー等で積極的に混合する必要はなく、所定量の雪と水を交互に投入すればよい。
さらに、投入した雪と水を加圧することなく放置する。寒冷地であれば例えば１０〜２０分放置することにより雪と水が一体になって固まる。その後、型枠を外せばよい。なお、ベース枠は１〜２日後に外すのが好ましい。
これにより、密度０．７〜０．８の雪氷ブロックＢが製造される。
型枠を交換するだけで、利用目的に適した大きさ、重量の雪氷ブロックＢを製造することができる。
【００２９】
実施の形態４
上述した実施の形態１〜３において、図７に示されるように、雪堆積場１の下部に貯蔵庫１８を形成し、この貯蔵庫１８に冷却装置を接続して貯蔵庫１８を冷凍庫として使用することができる。冷却装置としては、水冷式の熱交換器及び空冷式の熱交換器のいずれを備えるものでもよく、図７のように水冷式の熱交換器と空冷式の熱交換器の双方を備えていてもよい。例えば、雪堆積場１の外部に水冷式の熱交換器２４と空冷式の熱交換器２５をそれぞれ設置し、水冷式の熱交換器２４と貯蔵庫１８内とを吸気ダクト２６及び送風ダクト２７で連結すると共にこれら吸気ダクト２６及び送風ダクト２７をその途中で分岐させて空冷式の熱交換器２５を連結する。水冷式の熱交換器２４に連結される吸気ダクト２６及び送風ダクト２７にはそれぞれ切替弁２８及び２９が配設され、空冷式の熱交換器２５に連結される吸気ダクト２６及び送風ダクト２７にはそれぞれ切替弁３０及び３１が配設される。さらに、水冷式の熱交換器２４と雪堆積場１の融雪水槽３とを送水管３２及び戻り管３３で接続し、送水管３２の途中に取水ポンプ３４を配設する。また、貯蔵庫１８内に送風ファン３５を取り付ける。
【００３０】
水冷式の熱交換器２４を作動させる際には、対応する切替弁２８及び２９を開くと共に空冷式の熱交換器２５に接続された切替弁３０及び３１を閉じ、取水ポンプ３４と送風ファン３５を駆動させる。貯蔵庫１８内の空気は、吸気ダクト２６を介して熱交換器２４に吸引される。また、取水ポンプ３４の駆動により融雪水槽３内の融雪水が送水管３２を介して熱交換器２４に送られ、この融雪水を活用して熱交換器２４内で熱交換が行われる。これにより、貯蔵庫１８から吸引された空気は低温に冷却された後、送風ダクト２７を介して貯蔵庫１８まで搬送され、送風ファン３５によって貯蔵庫１８内に送り込まれる。
このようにして、貯蔵庫１８内が低温状態、例えば温度−２５℃に維持される。このため、貯蔵庫１８内で冷凍食品等の貯蔵物３６を冷凍保存することが可能となる。
【００３１】
一方、空冷式の熱交換器２５を作動させる際には、対応する切替弁３０及び３１を開くと共に水冷式の熱交換器２４に接続された切替弁２８及び２９を閉じる。この状態で送風ファン３５を駆動させると、貯蔵庫１８内の空気は、吸気ダクト２６を介して熱交換器２５に吸引され、熱交換器２５内で外気を用いた熱交換が行われる。貯蔵庫１８から吸引された空気は熱交換器２５内で低温に冷却された後、送風ダクト２７を介して貯蔵庫１８まで搬送され、送風ファン３５によって貯蔵庫１８内に送り込まれる。
【００３２】
このような水冷式の熱交換器２４と空冷式の熱交換器２５を使い分けることにより、例えば融雪水槽３内に融雪水が存在する春季から秋季にかけては水冷式の熱交換器２４を作動させ、外気が低温となる冬季には空冷式の熱交換器２５を作動させることで、周年にわたって効率よく貯蔵庫１８を冷凍庫として使用することが可能となる。
【図面の簡単な説明】
【００３３】
【図１】この発明の実施の形態１に係る雪氷エネルギー利用システムの全体構成を模式的に示す図である。
【図２】実施の形態２に係る雪氷エネルギー利用システムの全体構成を模式的に示す図である。
【図３】実施の形態３に係る雪氷エネルギー利用システムの全体構成を模式的に示す図である。
【図４】実施の形態３で用いられる雪氷ブロックを示す斜視図である。
【図５】雪氷ブロックを積み重ねた状態を示す斜視図である。
【図６】多数の雪氷ブロック配列及び積み上げた状態を示す斜視図である。
【図７】実施の形態４に係る雪氷エネルギー利用システムの要部を模式的に示す図である。
【符号の説明】
【００３４】
１  雪堆積場、２  トラック、３  融雪水槽、４  上槽、５  下槽、６  連通管、７  オーバーフロー管、８  送水管、９，１０  散水器、１１  送水ポンプ、１２，１３  被散水領域、１４  ビニールハウス、１５  冷房装置、１６，１７  送水管、１８  貯蔵庫、２１  上ガイド部、２２  下ガイド部、２３  凹部、２４  水冷式の熱交換器、２５  空冷式の熱交換器、２６  吸気ダクト、２７  送風ダクト、２８〜３１  切替弁、３２  送水管、３３  戻り管、３４  取水ポンプ、３５  送風ファン、３６  貯蔵物、Ｂ  雪氷ブロック。
【図１】
0004781731.tif 000002
【図２】
0004781731.tif 000003
【図３】
0004781731.tif 000004
【図４】
0004781731.tif 000005
【図５】
0004781731.tif 000006
【図６】
0004781731.tif 000007
【図７】
0004781731.tif 000008